(57)【要約】      （修正有）【課題】より良好な位置決め効果を備える内蔵型レンズモジュールを提供する。【解決手段】レンズホルダとフィルタレンズとを含む。レンズホルダは、上表面と、下表面と、上表面及び下表面に接続される側部とを有する。レンズホルダは収容孔を有する。少なくとも１つの位置決め部材２１４は、レンズホルダの上表面から延出する。フィルタレンズは収容孔内に配置される。上表面はレンズ１２に対向し、下表面はカメラ本体１１に対向し、位置決め部材２１４はレンズ１２に当接する。したがって、位置決め部材２１４は、カメラ本体１１及びレンズ１２に対して内蔵型レンズモジュール２の位置を固定することができ、それにより、カメラ本体１１及びレンズ１２に対する内蔵型レンズモジュール２の移動を回避する。【選択図】図１
0003213594.tif 000002
【実用新案登録請求の範囲】
【請求項１】
カメラのカメラ本体と該カメラのレンズとの間に位置する内蔵型レンズモジュールであって、
上表面と、下表面と、該上表面及び該下表面に接続された側部とを有するとともに、収容孔と、前記上表面から延出する少なくとも１つの位置決め部材とを備えるレンズホルダと、
前記収容孔内に配置されるフィルタレンズと、
を備える内蔵型レンズモジュール。
【請求項２】
前記少なくとも１つの位置決め部材の数は２つであり、該２つの位置決め部材は、前記収容孔の２つの対向する側部に位置する、
請求項１に記載の内蔵型レンズモジュール。
【請求項３】
前記２つの位置決め部材の延出方向が異なる、
請求項２に記載の内蔵型レンズモジュール。
【請求項４】
前記少なくとも１つの位置決め部材の数は４つであり、該４つの位置決め部材は、前記収容孔の４つのそれぞれ対向する側部に位置する、
請求項１に記載の内蔵型レンズモジュール。
【請求項５】
前記４つの位置決め部材の延出方向がそれぞれ異なる、
請求項４に記載の内蔵型レンズモジュール。
【請求項６】
前記４つの位置決め部材のうち対向する２つの位置決め部材の延出方向は、他の２つの位置決め部材の延出方向とは異なる、
請求項４に記載の内蔵型レンズモジュール。
【請求項７】
前記少なくとも１つの位置決め部材は、弾性部材である、
請求項１から６のいずれか１項に記載の内蔵型レンズモジュール。
【請求項８】
収容溝を有するレンズホルダと、
前記収容溝内に配置されるフィルタレンズと、
前記レンズホルダ内に配置されるとともに、前記フィルタレンズの周囲に位置する少なくとも１つの弾性部材と、
を備える内蔵型レンズモジュール。
【請求項９】
前記少なくとも１つの弾性部材は、発泡パッド、ゴムパッド、シリコーンパッド又はスポンジパッドである、
請求項８に記載の内蔵型レンズモジュール。
【請求項１０】
前記少なくとも１つの弾性部材は、弾性片である、
請求項８に記載の内蔵型レンズモジュール。
【請求項１１】
前記少なくとも１つの弾性部材は、前記収容溝の上端の外壁上に配置される１つの弾性部材を含む、
請求項８に記載の内蔵型レンズモジュール。
【請求項１２】
前記少なくとも１つの弾性部材は、前記収容溝の２つの側部の外壁上にそれぞれ配置される２つ以上の弾性部材を含む、
請求項８に記載の内蔵型レンズモジュール。
【請求項１３】
前記少なくとも１つの弾性部材は、前記収容溝の上端及び２つの側部の外壁上にそれぞれ配置される３つ以上の弾性部材を含む、
請求項８に記載の内蔵型レンズモジュール。
【請求項１４】
前記少なくとも１つの弾性部材は、前記収容溝の上端及び２つの側部の外壁上に連続的に配置される１つの弾性部材を含む、
請求項８に記載の内蔵型レンズモジュール。
【請求項１５】
前記レンズホルダは、第１カバーと、第２カバーとを備え、
前記第１カバーは、第１開口と、複数の位置決め凸シートとを有し、
前記複数の位置決め凸シートは、前記第１開口の周囲の前記第１カバーの内表面内に配置され、
前記複数の位置決め凸シートの間に収容空間が配置され、
前記第２カバーは、前記第１カバーと対応する第２開口を有するとともに、前記収容空間内に配置され、
前記収容溝は、前記第１カバーと前記第２カバーとの間に位置する、
請求項１１から１４のいずれか１項に記載の内蔵型レンズモジュール。
【考案の詳細な説明】
【技術分野】
【０００１】
本開示は、フィルタレンズに関し、より詳細には、フィルタレンズを備える内蔵型レンズモジュールに関する。
【背景技術】
【０００２】
科学と技術の発展に伴って、カメラは、人々の生活において徐々に不可欠なものになってきている。人々は、様々な機会において、記憶として残すために様々な重要な場面を写真に撮る。現在、ユーザは、基本的なカメラの機能に加えて、より高度な撮影効果を追求することも望んでいる。
【０００３】
例えば、写真撮影時の光や明色を調整するために、ユーザは、ユーザ自身の要求を満たすように、追加のフィルタレンズや偏光レンズなどを取り付ける場合がある。しかしながら、カメラのレンズのサイズは異なるものが多くあるので、ユーザは、異なるサイズのカメラのレンズを満たすように、異なるサイズのフィルタレンズや偏光レンズを準備する必要がある。
【０００４】
上記問題を解決するために、内蔵型レンズが現在開発されており、この内蔵型レンズは、カメラの本体とレンズとの間に取り付けられるものである。しかしながら、上記設計のレンズは、本体とレンズの間で容易に滑ってしまう可能性がある。また、このようなレンズは、フォーカス開口（focus opening）から容易に外れたり、フォーカス開口に落下してしまったりするので、カメラの通常の動作に影響を及ぼす可能性がある。これにより、写真撮影の品質に影響を及ぼしてしまう。
【考案の概要】
【考案が解決しようとする課題】
【０００５】
本開示の目的は、より良好な位置決め効果を備える内蔵型レンズモジュールを提供することである。
【０００６】
本開示の目的は、内蔵型レンズモジュールを提供することである。少なくとも１つの弾性部材の配置を通して、内蔵型レンズモジュールとフォーカス開口との締まり嵌めの程度（嵌合度）は、内蔵型レンズモジュールがフォーカス開口上に正確に取り付けられるように弾性部材の弾性を介して調整される。したがって、ずれが起こることはなく、写真撮影に影響を与えることはない。
【課題を解決するための手段】
【０００７】
本開示は、内蔵型レンズモジュールを提供する。内蔵型レンズモジュールは、カメラのカメラ本体と該カメラのレンズとの間に配置されるように用いられる。内蔵型レンズモジュールは、レンズホルダと、フィルタレンズとを含む。レンズホルダは、上表面と、下表面と、上表面及び下表面に接続される側部とを有する。このレンズホルダは収容孔を有する。少なくとも１つの位置決め部材は、レンズホルダの上表面から延出している。フィルタレンズは、この収容孔内に配置される。
【０００８】
さらに、本開示は、収容溝を有するレンズホルダと、その収容溝に配置されるフィルタレンズと、レンズホルダ内に配置されるとともに、フィルタレンズの周囲に位置する少なくとも１つの弾性部材とを含む内蔵型レンズモジュールを提供する。
【図面の簡単な説明】
【０００９】
本開示の例示の実施形態における上述の及びその他の例示態様、特徴及び効果は、添付図面を参照して行う以下の詳細な説明からより明らかとなるであろう。
【００１０】
【図１】本開示の第１実施形態に係るカメラの分解斜視図である。
【図２Ａ】図１の内蔵型レンズモジュールの構造図である。
【図２Ｂ】図２Ａの内蔵型レンズモジュールの平面図である。
【図２Ｃ】図２Ａの内蔵型レンズモジュールの側面図である。
【図３Ａ】本開示の第２実施形態に係る内蔵型レンズモジュールの構造図である。
【図３Ｂ】図３Ａの内蔵型レンズモジュールの平面図である。
【図３Ｃ】図３Ａの内蔵型レンズモジュールの側面図である。
【図３Ｄ】本開示の第３実施形態に係る内蔵型レンズの構造図である。
【図４】図１の内蔵型レンズモジュールのフィルタレンズの概略図である。
【図５】本開示の第４実施形態に係る内蔵型レンズモジュールのフィルタレンズの概略図である。
【図６】本開示の第５実施形態に係る内蔵型レンズモジュールの概略図である。
【図７】本開示の第５実施形態に係る内蔵型レンズモジュールを用いたカメラの使用状態図である。
【図８】本開示の第５実施形態に係る内蔵型レンズモジュールの組立図である。
【図９】本開示の第５実施形態に係る内蔵型レンズモジュールを用いたカメラの部分断面図である。
【図１０】本開示の第６実施形態に係る内蔵型レンズモジュールの概略図である。
【図１１】本開示の第７実施形態に係る内蔵型レンズモジュールの概略図である。
【図１２】本開示の第８実施形態に係る内蔵型レンズモジュールの概略図である。
【図１３】本開示の第９実施形態に係る内蔵型レンズモジュールの概略図である。
【考案を実施するための形態】
【００１１】
添付の図面を参照した以下の説明は、本開示の例示的な実施形態を説明するために提供される。なお、矛盾しなければ、本開示の実施形態及び実施形態の特徴（構成要件）は、互いに任意に組み合わされてもよい。
【００１２】
（第１実施形態）
まず、図１及び図２Ａ〜図２Ｃを参照する。図１は、本開示の第１実施形態に係るカメラの分解斜視図である。図２Ａは、図１の内蔵型レンズモジュールの構造図である。図２Ｂは、図２Ａの内蔵型レンズモジュールの平面図である。図２Ｃは、図２Ａの内蔵型レンズモジュールの側面図である。図１に示すように、内蔵型レンズモジュール２は、カメラ１のカメラ本体１１とカメラ１のレンズ１２との間に配置される。内蔵型レンズモジュール２は、レンズホルダ２１と、フィルタレンズ２２とを含む。本実施形態では、レンズホルダ２１は矩形であり、レンズホルダ２１の輪郭は、カメラ本体１１とレンズ１２との間の収容空間に対応する。しかしながら、レンズホルダ２１の形状は、これに限定されない。他の実施形態では、レンズホルダ２１は、楕円形、円形又は正方形であってもよい。
【００１３】
レンズホルダ２１は、図２Ｃに示すように、上表面２１１と、下表面２１２と、上表面２１１及び下表面２１２に接続された側部２１３とを有する。レンズホルダ２１は、フィルタレンズ２２を設置するために用いられる。詳細には、レンズホルダ２１は、収容孔２１０を有し、収容孔２１０の輪郭は、フィルタレンズ２２の輪郭に対応する。例えば、本実施形態では、フィルタレンズ２２は矩形であり、それに対応して、収容孔２１０も矩形である。しかしながら、それぞれの輪郭の形状は、これに限定されない。本開示の他の実施形態では、フィルタレンズ２２は、楕円形、円形又は正方形であってもよく、それに対応して、収容孔２１０も楕円形、円形又は正方形であればよい。
【００１４】
少なくとも１つの位置決め部材２１４は、レンズホルダ２１の上表面２１１から延出している。位置決め部材２１４は、カメラ１のレンズ１２に当接させることができ、それにより、内蔵型レンズモジュール２をカメラ本体１１とレンズ１２との間の対応する位置に固定することができる。フィルタレンズ２２は、収容孔２１０内に配置される。なお、さらに、ユーザは、特定の光学的効果を有するフィルタレンズ２２を選択してもよい。例えば、フィルタレンズ２２は、減光フィルタ（ＮＤフィルタ）や偏光レンズであってもよい。
【００１５】
上述のように、ユーザにより内蔵型レンズモジュール２がカメラ１内に配置されると、位置決め部材２１４は、カメラ本体１１及びレンズ１２に対して内蔵型レンズモジュール２の位置を固定することができるように、レンズ１２に当接する。それにより、カメラ本体１１及びレンズ１２に対する内蔵型レンズモジュール２の移動を回避することができる。したがって、フィルタレンズ２２がカメラ本体１１とレンズ１２との間で滑ることによって写真撮影の品質に影響を及ぼすという問題を解決することができる。
【００１６】
本実施形態及び他の実施形態では、位置決め部材２１４は弾性部材である。したがって、カメラ本体１１とレンズ１２との間の距離が異なっていたとしても、カメラ本体１１とレンズ１２との間の距離が位置決め部材２１４の最大長さよりも短い限り、レンズ１２に当接した位置決め部材２１４の効果を得ることができる。一方、位置決め部材２１４は、保護効果を得るために、カメラ本体１１とレンズ１２との間の干渉部材（バッファ部材）であってもよい。
【００１７】
本実施形態及び他の実施形態では、位置決め部材２１４の数は２つであり、２つの位置決め部材２１４は、収容孔２１０の２つの対向する側部に位置している。２つの位置決め部材２１４は、レンズホルダ２１の上表面２１１上に位置し、収容孔２１０は、レンズホルダ２１の開口であり、収容孔２１０は、２つの位置決め部材２１４の間に位置している。本実施形態では、２つの位置決め部材２１４は、収容孔２１０の２つの対向する側部上に対称的に配置されている（すなわち、レンズホルダ２１の開口の中心点に対して点対称に配置されている）。したがって、２つの位置決め部材２１４は、レンズ１２と位置決め部材２１４との間の力（応力）を平均的に分散することができる。これにより、レンズ１２の構造変形を回避することができ、位置決め部材２１４の耐用年数も引き延ばすことができる。
【００１８】
さらに、本実施形態及びその他の実施形態では、一方の位置決め部材２１４の延出方向は、他方の位置決め部材２１４の延出方向とは異なっている。したがって、２つの位置決め部材２１４の力がレンズ１２の特定の側部に集中することによってレンズ１２の構造変形が生じるという問題を効果的に回避することができる。
【００１９】
（第２実施形態）
次に、図３Ａ〜図３Ｃを参照する。図３Ａは、本開示の第２実施形態に係る内蔵型レンズモジュールの構造図である。図３Ｂは、図３Ａの内蔵型レンズモジュールの平面図である。図３Ｃは、図３Ａの内蔵型レンズモジュールの側面図である。本実施形態は、上記第１実施形態と類似しているので、同一の参照番号は、同一又は類似の構成要素を参照する。ここでは、相違点のみを説明する。本実施形態では、位置決め部材２１４ａの数は４つであり、４つの位置決め部材２１４ａは、実質的に四角形の収容孔２１０の４つのそれぞれ対向する側部に位置している。４つの位置決め部材２１４ａは、レンズホルダ２１の上表面２１１上に位置しており、収容孔２１０はレンズホルダの開口であり、収容孔２１０は、４つの位置決め部材２１４ａ間（すなわち、４つの位置決め部材２１４ａの延出方向を一辺とする四角形の中）に位置している。本実施形態では、４つの位置決め部材２１４ａは、収容孔２１０の４つの側部上に対称的に配置されている（すなわち、レンズホルダ２１の開口の中心点に対して対向する２つの位置決め部材２１４ａがそれぞれ点対称に配置されている）。したがって、４つの位置決め部材２１４ａは、レンズ１２と各位置決め部材２１４ａとの間の力を平均的に分散することができる。これにより、レンズの構造変形を回避することができ、位置決め部材２１４ａの耐用年数も引き延ばすことができる。
【００２０】
さらに、本実施形態及びその他の実施形態では、図３Ｂに示すように、１つの位置決め部材２１４ａの延出方向Ｅ１と、別の位置決め部材２１４ａの延出方向Ｅ２と、さらに別の位置決め部材２１４ａの延出方向Ｅ３と、さらに別の位置決め部材２１４ａの延出方向Ｅ４とは異なっている。したがって、４つの位置決め部材２１４ａの力がレンズ１２の特定の側部に集中することによってレンズ１２の構造変形が生じるという問題を効果的に回避することができる。
【００２１】
（第３実施形態）
次に、図３Ｄを参照する。図３Ｄは、本開示の第３実施形態に係る内蔵型レンズの構造図である。本実施形態は、上記第２実施形態と類似しているので、同一の参照番号は、同一又は類似の構成要素を参照する。したがって、ここでは、相違点のみを説明する。本実施形態では、位置決め部材２１４ｂ、２１４ｃの数は４つであり、４つの位置決め部材２１４ｂ、２１４ｃは、実質的に四角形の収容孔２１０の４つの対向する側部に位置している。２つの位置決め部材２１４ｂの延出方向Ｆ１は、他の２つの位置決め部材２１４ｃの延出方向Ｆ２とは異なる。したがって、４つの位置決め部材２１４ｂ、２１４ｃの力がレンズ１２の特定の側部に集中することによってレンズ１２の構造変形が生じるという問題を効果的に回避することができる。
【００２２】
次に、図４を参照する。図４は、図１の内蔵型レンズモジュールのフィルタレンズの概略図である。本実施形態は、上記第１〜第３実施形態と類似しており、したがって、ここでは、相違点のみを説明する。本実施形態では、フィルタレンズ２２は、減光フィルタ（ＮＤフィルタ）である。フィルタレンズ２２は、黒色ガラス２２１と、偏光膜２２２と、透明ガラス（クリアガラス）２２３とを含む。偏光膜２２２は、黒色ガラス２２１と透明ガラス２２３との間に位置している。黒色ガラス２２１は、高い吸光度を有するガラスを指す。本実施形態では、黒色ガラス２２１の黒色（又は暗色）は、コーティングによって形成される。しかしながら、黒色ガラス２２１の黒色の形成方法は、これに限定されない。他の実施形態では、黒色ガラス２２１の黒色（又は暗色）は、染色処理によって形成される。一方、偏光膜２２２は、偏光特性を有する薄膜である。すなわち、光が偏光膜２２２を通過すると、偏光の結果を得ることができる。さらに、透明ガラス２２３は、より良好な透過効果を有する透明なガラスである。上述のように、黒色ガラス２２１は高い吸光度を有するため、光がフィルタレンズ２２に入射すると、黒色ガラス２２１による減光効果を得ることができる。
【００２３】
（第４実施形態）
次に、図５を参照する。図５は、本開示の第４実施形態に係る内蔵型レンズモジュールの概略図である。本実施形態は、上記第１〜第３実施形態と類似しており、したがって、ここでは、相違点のみを説明する。本実施形態では、フィルタレンズは偏光レンズである。フィルタレンズ２２’は、２つの透明ガラス２２１’，２２３’と、偏光膜２２２’とを含む。偏光膜２２２’は、２つの透明ガラス２２１’，２２３’の間に位置している。したがって、光がフィルタレンズ２２に入射すると、偏光効果を得ることができる。
【００２４】
以下、内蔵型レンズモジュール、カメラ本体及びレンズの組み立てを説明する。以下の説明では、同一の参照番号は、同一又は類似の構成要素を参照する。したがって、ここでは、相違点のみを説明する。図１を再度参照すると、図１に示すように、カメラ１は、カメラ本体１１と、レンズ１２と、内蔵型レンズモジュール２とを含む。内蔵型レンズモジュール２については上述しているので、その説明は省略する。
【００２５】
カメラ本体１１は、反射部材１１０を有する。レンズ１２はカメラ本体１１上に配置され、このレンズ１２は反射部材１１０に対応している。カメラ本体１１とレンズ１２との間には収容空間が存在し、内蔵型レンズモジュール２は、カメラ本体１１とレンズ１２との間のこの収容空間に配置される。内蔵型レンズモジュール２のレンズホルダ２１の上表面２１１は、レンズ１２に対向し、その下表面２１２は、カメラ本体１１の反射部材１１０に対向し、位置決め部材２１４はレンズ１２に当接する。したがって、位置決め部材２１４は、カメラ本体１１及びレンズ１２に対して内蔵型レンズモジュール２の位置を固定するように、レンズ１２に当接することができる。それにより、カメラ本体１１及びレンズ１２に対する内蔵型レンズモジュール２の移動を回避することができる。したがって、フィルタレンズ２２がカメラ本体１１とレンズ１２との間で滑ることによって結果として写真撮影の品質に影響を及ぼすという問題を解決することができる。
【００２６】
本開示の実施形態に開示した内蔵型レンズモジュール及びその内蔵型レンズモジュールを含むカメラによれば、内蔵型レンズモジュールのレンズホルダの上表面から位置決め部材が延出しているため、位置決め部材は、カメラ本体及びレンズに対して内蔵型レンズモジュールの位置を固定するようにレンズに当接することができ、それにより、カメラ本体及びレンズに対する内蔵型レンズモジュールの移動を回避することができる。したがって、フィルタレンズ２２がカメラ本体１１とレンズ１２との間で滑ることによって結果として写真撮影の品質に影響を及ぼすという問題を解決することができる。
【００２７】
また、本開示のいくつかの実施形態では、位置決め部材は弾性部材である。これにより、カメラ本体とレンズとの間の距離が異なっていても、位置決め部材を配置することができるとともに、位置決め部材は、保護効果を得るように、カメラ本体とレンズの間の干渉部材（バッファ部材）とすることができる。
【００２８】
さらに、本開示のいくつかの実施形態では、位置決め部材の数は２つであり、２つの位置決め部材は、収容孔の２つの対向する側部に位置する。したがって、２つの位置決め部材は、レンズと位置決め部材の間の力を平均的に分散することができる。これにより、レンズの構造変形を回避することができ、位置決め部材の耐用年数も引き延ばすことができる。
【００２９】
また、本開示のいくつかの実施形態では、２つの位置決め部材の延出方向が異なる。したがって、位置決め部材の力がレンズの特定の側部に集中することにより結果としてレンズの構造変形を招くという問題を効果的に回避することができる。
【００３０】
さらに、本開示のいくつかの実施形態では、位置決め部材の数は４つであり、４つの位置決め部材は、実質的に四角形の収容孔の４つのそれぞれ対向する側部に位置している。したがって、４つの位置決め部材は、レンズと各位置決め部材との間の力を平均的に分散することができる。これにより、レンズの構造変形を回避することができ、位置決め部材の耐用年数も引き延ばすことができる。
【００３１】
また、本開示のいくつかの実施形態では、４つの位置決め部材の延出方向が異なる。したがって、位置決め部材の力がレンズの特定の側部に集中することにより結果としてレンズの構造変形を招くという問題を効果的に回避することができる。
【００３２】
（第５実施形態）
次に、図６を参照する。図６は、本開示の第５実施形態に係る内蔵型レンズモジュールの概略図である。図６に示すように、本実施形態では、レンズホルダ３１と、フィルタレンズ３２と、弾性部材３３とを含む内蔵型レンズモジュール３が提供される。本実施形態では、レンズホルダ３１は矩形（長方形）であり、矩形形状の収容溝３１１を有する。フィルタレンズ３２は、収容溝３１１内に配置される。弾性部材３３は、収容溝３１１の上端の外壁上に配置され、フィルタレンズ３２の上側に位置している。本実施形態では、弾性部材３３は、発砲（又は気泡）パッドである。当然のことながら、弾性部材３３は、ゴムパッド、シリコーンパッド又はスポンジパッドに変更されてよい。また、弾性部材３３は、弾性片であってもよい。
【００３３】
次に、図７を参照する。図７は、本開示の第５実施形態に係る内蔵型レンズモジュールを用いたカメラの使用状態図である。図７に示すように、カメラ４は、反射部材を有しておらず、レンズを取り付けるための開口４１と、開口４１内のフォーカス開口４２とを含む。本実施形態では、フォーカス開口４２は矩形であり、フォーカス開口４２の形状及びサイズは、内蔵型レンズモジュールの形状及びサイズに等しい。カメラ４のフォーカス開口４２内に内蔵型レンズモジュール３を取り付けると、内蔵型レンズモジュール３の収容溝３１１の上端及び下端の縁がフォーカス開口４２の上端及び下端の内壁とそれぞれ密接するように、弾性部材３３は、フォーカス開口４２の上端の内壁に当接する。これにより、内蔵型レンズモジュール３がフォーカス開口４２内でずれたときであっても、内蔵型レンズモジュール３がフォーカス開口４２から外れたり、フォーカス開口４２に落下したりすることを防止することができる。このように、内蔵型レンズモジュール３は、フォーカス開口４２を整列させる。
【００３４】
さらに、図８を参照する。図８は、本開示の第５実施形態に係る内蔵型レンズモジュールの組立図である。図８に示すように、レンズホルダ３１は、第１カバー３１２と、第２カバー３１３とを含む。第１カバー３１２は、第１開口３１２１と、複数の位置決め凸シート３１２２とを有する。複数の位置決め凸シート３１２２のそれぞれの一端は、第１開口３１２１の周囲の第１カバー３１２の内表面内に配置され、複数の位置決め凸シート３１２２に対応する収容空間は、複数の位置決め凸シート３１２２の間に形成される。第２カバー３１３は、第２開口３１３１を有し、第２開口３１３１は、第１開口３１２１に対応する。本実施形態では、第１カバー３１２及び第２カバー３１３は矩形であり、第１カバー３１２の収容空間の面積は、第２カバー３１３の面積と同一である。第２開口３１３１の形状及びサイズは、第１開口３１２１の形状及びサイズに等しい。第２カバー３１３は、収容空間内に配置され、収容溝３１１は、第１カバー３１２と第２カバー３１３との間に形成される。
【００３５】
フィルタレンズ３２をレンズホルダ３１内に配置すると、フィルタレンズ３２は、第１カバー３１２の複数の位置決め凸シート３１２２の間に配置され、収容空間内に位置する。複数の位置決め凸シート３１２２は、フィルタレンズ３２の側部に当接し、フィルタレンズ３２を突出させる。第２カバー３１３は、フィルタレンズ３２を覆い、複数の位置決め凸シート３１２２の他端は、第２カバー３１３を第１カバー３１２に固定するとともに、フィルタレンズ３２を収容溝３１１の内側に固定するように折り曲げられて、第２カバー３１３に当接する。フィルタレンズ３２は、第１開口３１２１及び第２開口３１３１に対応する。
【００３６】
次に、図９を参照する。図９は、本開示の第５実施形態に係る内蔵型レンズモジュール３を用いたカメラの部分断面図である。図９に示すように、本実施形態では、第１カバー３１２の上端の縁は上部ストッパ３１２３を有し、第１カバー３１２の下端の縁は下部ストッパ３１２４を有する。上部ストッパ３１２３及び下部ストッパ３１２４は、それぞれ、第１カバー３１２の上端及び下端の縁から外方に延出し、それらの止め面と第１カバー３１２の内表面は互いに平行である。本実施形態では、上部ストッパ３１２３及び下部ストッパ３１２４は、第１カバー３１２と一体形成されている。内蔵型レンズモジュール３をカメラ４内に配置すると、上部ストッパ３１２３及び下部ストッパ３１２４は、内蔵型レンズモジュール３がフォーカス開口４２に落ち込むことを防止するように、カメラ４のフォーカス開口４２の上端及び下端の表面にそれぞれ当接する。それにより、内蔵型レンズモジュール３がフォーカス開口４２上に正確に取り付けられることを保証する。本実施形態では、上部ストッパ３１２３及び下部ストッパ３１２４は、それぞれ、少なくとも調整可能な弾性部材３１２５を有する。上部ストッパ３１２３及び下部ストッパ３１２４の調整可能な弾性部材３１２５の弾性により、上部ストッパ３１２３及び下部ストッパ３１２４の外表面は、レンズに当接する。すなわち、それらの内表面は、フォーカス開口４２の周囲の表面に当接する。それにより、フォーカス開口４２上における内蔵型レンズモジュール３の安定性を増すことができる。
【００３７】
（第６実施形態）
次に、図１０を参照する。図１０は、本開示の第６実施形態に係る内蔵型レンズモジュールの概略図である。図１０に示すように、本実施形態の内蔵型レンズモジュール３と上記第５実施形態の内蔵型レンズモジュールとの相違点は、本実施形態の内蔵型レンズモジュール３が複数の弾性部材３３をさらに含み、複数の弾性部材３３が、収容溝３１１の上端及び２つの側部の外壁上に配置されている点である。内蔵型レンズモジュール３をカメラ内に配置すると、内蔵型レンズモジュール３は、フォーカス開口上に密接に（ぴったりと）取り付けられる。また、フォーカス開口に対して内蔵型レンズモジュール３の移動を防止するように、内蔵型レンズモジュール３の収容溝３１１の上端の縁に位置する弾性部材３３は、フォーカス開口の内壁に当接し、内蔵型レンズモジュール３の収容溝３１１の２つの側部の縁に位置する２つの弾性部材３３は、フォーカス開口の２つの側部の内壁にそれぞれ当接する。
【００３８】
（第７実施形態）
次に、図１１を参照する。図１１は、本開示の第７実施形態に係る内蔵型レンズモジュールの概略図である。図１１に示すように、本実施形態の内蔵型レンズモジュール３と第６実施形態の内蔵型レンズモジュールとの相違点は、本実施形態の内蔵型レンズモジュール３が、第６実施形態の内蔵型レンズモジュールの複数の弾性部材を１つの弾性部材３３に統合している点である。本実施形態の弾性部材３３は、弾性部材３３が収容溝３１１上に容易に取り付けられるとともに、内蔵型レンズモジュール３とフォーカス開口との間の締まり嵌めの程度（嵌合度）が増すように、収容溝３１１の上端及び２つの側部の外壁上に連続的に配置されている。
【００３９】
（第８実施形態）
次に、図１２を参照する。図１２は、本開示の第８実施形態に係る内蔵型レンズモジュールの概略図である。図１２に示すように、内蔵型レンズモジュール３も、レンズホルダ３１と、フィルタレンズ３２と、弾性部材３３とを含む。レンズホルダ３１は、矩形状を有するカバー３１４を含む。カバー３１４は、開口３１４１と、複数の位置決め凸シート３１４２とを有する。複数の位置決め凸シート３１４２のそれぞれの一端は、開口３１４１の周囲のカバー３１４の内表面上に配置される。複数の位置決め凸シート３１４２のそれぞれの他端の延出方向とカバー３１４の内表面とは互いに垂直である。収容溝３１１は、複数の位置決め凸シート３１４２の間に配置される。収容溝３１１のサイズは、フィルタレンズ３２のサイズに等しい。レンズホルダ３１の収容溝３１１にフィルタレンズ３２を配置すると、複数の位置決め凸シート３１４２のそれぞれの一端は、フィルタレンズ３２の側部に当接し、その他端は、フィルタレンズ３２をカバー３１４上に固定するように、カバー３１４から離れた方のフィルタレンズ３２の表面に当接するように折り曲げられる。フィルタレンズ３２は、開口３１４１に対応する。本実施形態では、弾性部材３３は弾性薄板（弾性シート）である。弾性薄板３３の一端は、レンズホルダ３１のカバー３１４の上端の縁上に配置され、弾性部材３３の他端は、カバー３１４の内表面に向かって折り曲げられる。内蔵型レンズモジュール３をフォーカス開口の内側に配置すると、弾性部材３３は、フォーカス開口の上端の側壁に当接し、内蔵型レンズモジュール３とフォーカス開口の上端及び下端の側壁との間の締まり嵌めの程度は、弾性薄板の弾性（弾力性）によって調整される。本実施形態のカバー３１４の上端及び下端の縁は、それぞれ、第５実施形態の上部ストッパ及び下部ストッパを含むことができるが、その説明は省略する。
【００４０】
（第９実施形態）
次に、図１３を参照する。図１３は、本開示の第９実施形態に係る内蔵型レンズモジュールの概略図である。図１３に示すように、本実施形態の内蔵型レンズモジュール３と上記第８実施形態の内蔵型レンズモジュールとの相違点は、本実施形態のレンズホルダ３１が第１カバー３１２及び第２カバー３１３を含む点である。第１カバー３１２は円形であり、第２カバー３１３は矩形である。第２カバー３１３の面積は、第１カバー３１２の面積よりも小さくかつフィルタレンズ３２の面積に等しい。第２カバー３１３に対する第１カバー３１２の上端の突出部は、第５実施形態の上部ストッパに相当し、第２カバー３１３に対する第１カバー３１２の下端の突出部は、第５実施形態の下部ストッパに相当する。同様に、第２カバー３１３に対する第１カバー３１２の２つの側部の突出部は側部ストッパを指し、側部ストッパの機能は、第５実施形態の上部ストッパ及び下部ストッパの機能と同じである。本実施形態では、内蔵型レンズモジュール３は、２つの弾性部材３３を有し、２つの弾性部材３３の一端は、第１カバー３１２の内表面内に配置され、収容溝３１１の２つの側部にそれぞれ位置している。内蔵型レンズモジュール３をフォーカス開口上に配置すると、２つの弾性部材３３の弾性によって内蔵型レンズモジュール３の収容溝３１１の２つの側部とフォーカス開口の２つの側部の内壁との締まり嵌めの程度を調整するように、２つの弾性部材３３は、フォーカス開口の２つの側部の内壁にそれぞれ当接する。本実施形態では、矩形状を有する上記内蔵型レンズモジュール３に側部ストッパを適用することができる。すなわち、側部ストッパは、第１カバー３１２上又は第１カバー３１２の１つの側部の縁上に配置されるとともに、外方に延出され、その止め面と第１カバー３１２の外面は互いに平行である。当然のことながら、第５実施形態における上部ストッパ上に配置される少なくとも１つの調整可能な弾性部材を本実施形態のストッパの側部に適用することができるが、その説明は省略する。
【００４１】
要約すると、本開示は、内蔵型レンズモジュールを開示しており、その内蔵型レンズモジュールは、カメラのフォーカス開口内に配置される。本開示の内蔵型レンズモジュールは、内蔵型レンズモジュールがフォーカス開口内に正確に取り付けられるとともに、内蔵型レンズモジュールがフォーカス開口から外れたり、フォーカス開口に落ち込んだりすることを防止するように、少なくとも１つの弾性部材の配置を通して内蔵型レンズモジュールとフォーカス開口との間の締まり嵌めの程度を調整する。それにより、カメラの動作に結果的に影響を及ぼすことになる内蔵型レンズモジュールの異常な配置を回避することができる。
【００４２】
本開示の内蔵型レンズモジュールは、フォーカス開口に対する内蔵型レンズモジュールの移動をより効果的に防止することができるように、上部ストッパと、下部ストッパと、側部ストッパとの配置をさらに含む。それにより、内蔵型レンズモジュールのずれを抑制するとともに、写真撮影に影響を及ぼすことを回避することができる。本開示の内蔵型レンズモジュールは、カメラ上に組み付けられた内蔵型レンズモジュールとレンズとを締まり嵌めするとともに、レンズとカメラの間での内蔵型レンズモジュールのずれを効率的に防止するように、上部ストッパ、下部ストッパ又は側部ストッパ上に配置される少なくとも１つの調整可能な弾性部材をさらに含む。それにより、写真撮影の品質の劣化を回避することができる。
【００４３】
特定の実施形態を参照して本開示を詳細に説明したが、当業者は、添付の実用新案登録請求の範囲で定義したような精神及び範囲あるいはその法的均等物を逸脱することなく、多くの変形や改良を容易に達成可能であることを理解するであろう。
【図１】
0003213594.tif 000003
【図２Ａ】
0003213594.tif 000004
【図２Ｂ】
0003213594.tif 000005
【図２Ｃ】
0003213594.tif 000006
【図３Ａ】
0003213594.tif 000007
【図３Ｂ】
0003213594.tif 000008
【図３Ｃ】
0003213594.tif 000009
【図３Ｄ】
0003213594.tif 000010
【図４】
0003213594.tif 000011
【図５】
0003213594.tif 000012
【図６】
0003213594.tif 000013
【図７】
0003213594.tif 000014
【図８】
0003213594.tif 000015
【図９】
0003213594.tif 000016
【図１０】
0003213594.tif 000017
【図１１】
0003213594.tif 000018
【図１２】
0003213594.tif 000019
【図１３】
0003213594.tif 000020